(57)【要約】【課題】触媒フィルタを効率的に均一に加熱できる脱臭装置を提供する。【解決手段】シースヒータ５２（熱源素子）のベースフレーム５１（熱伝導板）に当接する平坦面５２１を残すようにシースヒータ５２の外周面に断熱シート５４を設けて、シースヒータ５２の熱を効率的にベースフレーム５１に伝達する。【選択図】図８
2011024936.tif 000002
【特許請求の範囲】
【請求項１】
空気吸込口から筐体内に吸い込まれた空気を脱臭する脱臭ユニットを有し、上記脱臭ユニットにて清浄された空気を所定の送風手段を介して空気吹出口から筐体外へと排出する脱臭装置において、
上記脱臭ユニットは、臭気を吸着して分解する触媒フィルタと、上記触媒フィルタを加熱して活性化させるヒータユニットとを有し、上記ヒータユニットは、表面側に上記触媒フィルタが支持される熱伝導板と、上記熱伝導板の裏面側に当接するように配置される線状の熱源素子とを有し、上記熱源素子には、上記熱源素子を挟んで上記熱伝導板と対向するように配置されるとともに、上記熱源素子の外表面を覆う断熱シートが設けられていることを特徴とする脱臭装置。
【請求項２】
上記断熱シートの反上記熱源素子側の外周面には、固定フレームが設けられ、上記固定フレームと上記熱伝導板との間に上記熱源素子と上記断熱シートが挟み込んで固定されていることを特徴とする請求項１に記載の脱臭装置。
【請求項３】
上記固定フレームは、上記熱源素子からの輻射熱を反射する機能を有する輻射熱板を備えることを特徴とする請求項２に記載の脱臭装置。
【請求項４】
上記固定フレームは、上記熱伝導板に当接して、上記熱伝導板に対する相対的な位置決めを行う位置決め手段と、上記断熱シートを支持する断熱シート支持手段とをさらに備え、上記断熱シート支持手段は、上記輻射熱板の一部に設けられていることを特徴とする請求項３に記載の脱臭装置。
【発明の詳細な説明】
【技術分野】
【０００１】
本発明は、加熱再生型触媒フィルタを用いた脱臭装置に関し、さらに詳しく言えば、触媒フィルタの加熱効率を上げて脱臭反応を活性化することができる脱臭装置に関する。
【背景技術】
【０００２】
例えば特許文献１に示すように、タバコなどの臭いを除去する脱臭装置は、空気吸込口から筐体内に空気を取り込み、筐体内に設けられた脱臭ユニットにて脱臭したのち、清浄された空気を空気吹出口から室内に向けて排出している。
【０００３】
脱臭ユニットには、用途や使用環境に応じて様々なタイプがあり、その１つに触媒フィルタがある。触媒フィルタとは、ハニカム状のプレートに金属酸化物や貴金属などの触媒を付着させたものからなり、触媒フィルタで臭気を吸着して分解することで、脱臭することができるようになっている。
【０００４】
通常、この種の触媒フィルタは、光や熱などを印加することにより、触媒が活性化され脱臭機能が回復するようになっている。その中でも触媒フィルタを加熱することで、触媒を活性化して、脱臭性能が回復するタイプを加熱再生型と称している。
【０００５】
加熱再生型の触媒フィルタは、触媒フィルタを加熱するためのヒータが必要となる。特許文献１において、ヒータは、例えばシースヒータなどの熱源素子を有する熱伝導板を備え、熱伝導板を触媒フィルタに接触するように配置している。
【０００６】
シースヒータの一部は、熱伝導板に沿って密着しやすいよう平坦化されている。これによれば、熱伝導板を介して熱が触媒フィルタに効率的に伝達される。しかしながら、酢酸に代表される難分解性の臭気成分を酸化分解するには、触媒フィルタの温度を１００℃以上に加熱することが好ましい。触媒フィルタを１００℃以上に加熱するためには、より高出力のヒータを用いればよいが、単にヒータを高出力化しただけでは、以下のような問題が生じる。
【０００７】
すなわち、高出力ヒータを用いた場合、脱臭ユニットだけではなく、筐体全体が暖まり、場合によっては、筐体樹脂の耐熱温度を超えてしまうおそれがある。この問題を解決するためには、樹脂の耐熱温度を上げればよいが、樹脂のコストが高くなる。また、高出力であるが故に、放熱による無駄な消費電力が増えるおそれもある。
【０００８】
また、特許文献１のヒータは、シースヒータの一部に平坦面を形成し、平坦面を熱伝導板に沿って密着させることで熱伝導効率を高め、ひいては加熱性能を高めるようにしている。しかしながら、シースヒータの平坦面以外の部分は、剥き出しで露出されているため、空気を無駄に暖めることになり、その分のエネルギー損失が大きい。
【先行技術文献】
【特許文献】
【０００９】
【特許文献１】特開２００７−４４４３３号公報
【発明の概要】
【発明が解決しようとする課題】
【００１０】
そこで、本発明は上述した課題を解決するためになされたものであって、その目的は、触媒フィルタを効率的に加熱でき、かつ、消費電力を低く抑えることができる脱臭装置を提供することにある。
【課題を解決するための手段】
【００１１】
上述した目的を達成するため、本発明は以下に示すいくつかの特徴を備えている。請求項１に記載の発明は、空気吸込口から筐体内に吸い込まれた空気を脱臭する脱臭ユニットを有し、上記脱臭ユニットにて清浄された空気を所定の送風手段を介して空気吹出口から筐体外へと排出する脱臭装置において、上記脱臭ユニットは、臭気を吸着して分解する触媒フィルタと、上記触媒フィルタを加熱して活性化させるヒータユニットとを有し、上記ヒータユニットは、表面側に上記触媒フィルタが支持される熱伝導板と、上記熱伝導板の裏面側に当接するように配置される線状の熱源素子とを有し、上記熱源素子には、上記熱源素子を挟んで上記熱伝導板と対向するように配置されるとともに、上記熱源素子の外表面を覆う断熱シートが設けられていることを特徴としている。
【００１２】
請求項２に記載の発明は、上記請求項１において、上記断熱シートの反上記熱源素子側の外周面には、固定フレームが設けられ、上記固定フレームと上記熱伝導板との間に上記熱源素子と上記断熱シートが挟み込んで固定されていることを特徴としている。
【００１３】
請求項３に記載の発明は、上記請求項２において、上記固定フレームは上記熱源素子からの輻射熱を反射する機能を有する輻射熱板を備えることを特徴としている。
【００１４】
請求項４に記載の発明は、上記請求項３において、上記固定フレームは、上記熱伝導板に当接して、上記熱伝導板に対する相対的な位置決めを行う位置決め手段と、上記断熱シートを支持する断熱シート支持手段とをさらに備え、上記断熱シート支持手段は、上記輻射熱板の一部に設けられていることを特徴としている。
【発明の効果】
【００１５】
請求項１に記載の発明によれば、熱源素子の外周面に断熱シートが設けられていることで、熱源素子から空気中に熱が逃げるのを抑えることができる。
【００１６】
請求項２に記載の発明によれば、断熱シートの外周面側に熱源素子を熱伝導板とともに挟み込んで支持する固定フレームを設けたことにより、熱源素子を断熱シートを介して熱伝導板に密着させることで、より熱伝導効率が高まる。
【００１７】
請求項３に記載の発明によれば、固定フレームに熱源素子の輻射熱板を備えることで、熱源素子からの輻射熱を輻射熱板によって反射させることで、より熱効率を高めることができる。
【００１８】
請求項４に記載の発明によれば、固定フレームに熱伝導板に対する位置決めを行う位置決め手段と、断熱シートを支持する断熱シート支持手段とをさらに設け、断熱シート支持手段を輻射熱板の一部に設けたことにより、固定フレームの位置決めを簡単に行うことができるとともに、輻射熱板への断熱シートの取り付けも簡単にできる。
【図面の簡単な説明】
【００１９】
【図１】本発明の一実施形態に係る脱臭装置の斜視図。
【図２】上記脱臭装置の要部断面図。
【図３】上記脱臭装置の脱臭ユニットの斜視図。
【図４】上記脱臭ユニットの中央縦断面図。
【図５】上記脱臭ユニットの分解斜視図。
【図６】熱伝導板を熱源素子の取付面側から見た正面図。
【図７】ヒータユニットを固定フレーム側から見た正面図。
【図８】ヒータユニットの（ａ）要部断面図および（ｂ）部分拡大図。
【図９】熱伝導板とシースヒータの取付状態を説明するための説明図。
【発明を実施するための形態】
【００２０】
次に、本発明の実施形態について図面を参照しながら説明するが、本発明はこの限りではない。図１および図２を参照して、この脱臭装置１は、全体が合成樹脂製のパネルによって形成される縦長の筐体２を有し、筐体２の前面側には、室内の空気を筐体２内に取り込むための空気吸込口２１が設けられている。
【００２１】
筐体２の上面には、筐体２内で脱臭された空気を再び室内に戻すための空気吹出口２２が設けられている。この例において、空気吹出口２２は、電動スイング式のフラップによって開閉するようになっている。
【００２２】
筐体２の正面上部には、脱臭装置１を操作するための操作パネル２３が設けられている。操作パネル２３には、電源のオンオフボタンのほか、運転モード選択ボタンやタイマー設定ボタン、フィルタ交換時期を教えるＬＥＤランプなども設けられている。
【００２３】
この例において、操作パネル２３には、脱臭装置１の運転を制御するための制御部も含まれる。操作パネル２３の設置場所やボタン類のレイアウトなどは、仕様に応じて任意に選択されてよい。
【００２４】
筐体２内には、空気に含まれるごみを除去する集塵フィルタ３と、空気中の臭気を脱臭する脱臭ユニット４と、オゾン生成ユニット５と、ファン６とを備えている。集塵フィルタ３は、粗粒ゴミを除去するメッシュシートをプリーツ状に折り畳んだプリーツフィルタからなり、筐体２の前面開口部を覆うように着脱自在に設けられている。
【００２５】
この例において、集塵フィルタ３は、粗粒ゴミを除去するためのプリーツフィルタのみから構成されているが、より微細なゴミや微粒子などを捕捉するため、ＨＥＰＡフィルタなどの高性能集塵フィルタを組み合わせてもよい。
【００２６】
図３〜図５を参照して、脱臭ユニット４は、臭気を吸着して分解する触媒フィルタ４０と、触媒フィルタ４０を加熱するヒータユニット５０と、触媒フィルタ４０およびヒータユニット５０を挟むように配置される一対の第１断熱部材６０，６０と、脱臭ユニット４の外周面を覆うように配置される第２断熱部材７０と、各断熱部材６０，６０の他方の側面を覆うように配置される一対の固定パネル８０，８０とを備えている。
【００２７】
なお、上記脱臭ユニット４を構成する触媒フィルタ４０、ヒータ５０、第１断熱部材６０，６０および固定パネル８０，８０には、後述するように通風方向（図４では左右方向）に対して通気性が確保されているので、脱臭ユニット４内には通風方向に沿って空気流路が形成される。
【００２８】
触媒フィルタ４０は、アルミ合金製の通気性を有するハニカムコアボードの表面に酸化マンガンなどの金属酸化物や、プラチナなどの貴金属の触媒を所定の厚さに形成したものからなる。
【００２９】
なお、吸着剤として、活性炭や各種セラミック粉末などを添加してもよい。さらには、抗菌剤や防かび剤などの各種添加物が添加されていてもよい。触媒フィルタ４０は、基本的な形態が加熱再生型であればよく、その他の変形例も本発明に含まれる。
【００３０】
ヒータユニット５０は、触媒フィルタ４０の一方の面（図４では右側面）に沿って配置されるベースフレーム５１（熱伝導板）と、ベースフレーム５１に沿って配置されるシースヒータ５２（熱源素子）と、シースヒータ５２の反触媒フィルタ４０側（図４では右側）に配置される固定フレーム５３とを備えている。
【００３１】
図６を併せて参照して、ベースフレーム５１は、１枚の金属板をプレス加工したものからなり、触媒フィルタ４０を支持する有底な箱形状に形成されている。ベースフレーム５１は、触媒フィルタ４０の外形とほぼ同じ大きさを有し、その底面には、後述するシースヒータ５２が裏面側（図６では紙面手前側）に配置されるヒータ支持部５１１が設けられている。
【００３２】
この例において、ベースフレーム５１は、通気性を確保するための通気孔５１３と、通気孔５１３と通気孔５１３との間をつなぐ非通気部とを備えている。
【００３３】
ヒータ支持部５１１は、ベースフレーム５１の底面に沿って蛇行するように設けられており、この例ではベースフレーム５１の長手方向（図６では上下方向）に蛇行するように設けられている。
【００３４】
触媒フィルタ４０の通気面に形成される通気孔は、ベースフレーム５１の非通気部で覆われると、通気孔が塞がれてしまう。したがって、触媒フィルタ４０の通気面全体がベースフレーム５１に密着すると、ベースフレーム５１の非通気部で触媒フィルタ４０の通気孔が塞がれてしまい通気効率が低下するおそれがある。
【００３５】
そこで、図８（ａ）および（ｂ）に示すように、ヒータ支持部５１１は、ベースフレーム５１の底面よりも触媒フィルタ４０の載置面側に向かって凸となるように張り出されている。この例において、ヒータ支持部５１１は、ベースフレーム５１の底面に対して０．５ｍｍだけ外側に張り出されている。
【００３６】
これによれば、触媒フィルタ４０をベースフレーム５１の表面（図８では左側面）に沿って配置すると、触媒フィルタ４０とベースフレーム５１との間に部分的に空隙Ｇが形成されることにより、触媒フィルタ４０の通気孔がベースフレーム５１の非通気部によって塞がれることなく、通気性を確保することができる。
【００３７】
ヒータ支持部５１１には、シースヒータ５２を固定するための固定片５１２が設けられている。図９に示すように、固定片５１２は、ベースフレーム５１の底面の一部をＵ字状に切り欠くことで形成された舌片からなり、シースヒータ５２をヒータ支持部５１１に沿って位置合わせしたのち、固定片５１２をシースヒータ５２に沿って折り曲げることで、シースヒータ５２がベースフレーム５１に固定されるようになっている。
【００３８】
この例において、固定片５１２は、大小異なる形状で１７箇所設けられているが、固定片５１２の形状や数は仕様に応じて任意に変更されてよい。
【００３９】
再び図６を参照して、ベースフレーム５１には、触媒フィルタ４０の通気性を妨げないようにするための通気孔５１３が多数設けられている。通気孔５１３は、シースヒータ５２の熱がベースフレーム５１に伝わりやすくするため、ヒータ支持部５１１を避けるように設けられている。
【００４０】
この例において、ベースフレーム５１は、通気性を確保するためパンチングメタルが用いられているが、熱伝導性がよく、かつ、通気性が確保された形状であれば、仕様に応じて任意に変更可能である。
【００４１】
ベースフレーム５１の一方の面（図４では左側面）には、触媒フィルタ４０が配置され、他方の面（図４では右側面）には、シースヒータ５２が配置されている。シースヒータ５２は、金属パイプの中央にスパイラル発熱体を配置し、その周囲の空間に熱伝導の良い高絶縁粉末（ともに図示しない）を充填したヒーターであり、ベースフレーム５１に沿って蛇行するように設けられている。
【００４２】
この例において、シースヒータ５２は、断面が三角おにぎり状となるように形成されており、平坦面５２１がベースフレーム５１のヒータ支持部５１１に沿って密着しやすいように形成されている。
【００４３】
この例において、シースヒータ５２は、断面が三角おにぎり状に形成されているが、ベースフレーム５１に対しての接触面が密着しやすいように平坦面に形成されていればよい。また、ヒータユニットの熱源素子は、シースヒータ５２以外の発熱手段であってもよい。
【００４４】
図７および図８に示すように、固定フレーム５３は、ベースフレーム５１の外周面に沿って取り付けられる位置決め手段としてのフレーム本体５３１と、シースヒータ５２の反触媒フィルタ４０側の面（図４では右側面）を覆い隠すとともに、シースヒータ５２からの輻射熱を反射する輻射熱板５３２とを備えている。フレーム本体５３１および輻射熱板５３２はともに金属製である。
【００４５】
フレーム本体５３１は、ベースフレーム５１の外周に沿って合致するように形成された長方形状を呈し、そこに輻射熱板５３２が架け渡されている。輻射熱板５３２は、シースヒータ５２を覆うとともに、シースヒータ５２から照射される輻射熱を効率的に受け止めるため断面Ｃ字状に形成されており、シースヒータ５２の形状に合わせて蛇行して形成されている。なお、反射された輻射熱は、表面が黒色の触媒で覆われた触媒フィルタ４０に吸収されて、触媒フィルタ４０を加熱する。
【００４６】
輻射熱板５３２は、シースヒータ５２の外周面を覆うとともに、シースヒータ５２から輻射される輻射熱を効率的に反射するため断面Ｃ字状に形成されており、シースヒータ５２の形状に合わせて蛇行して形成されている。なお、反射された輻射熱は、表面が黒色の触媒で覆われた触媒フィルタ４０に吸収されて、触媒フィルタ４０を加熱する。
【００４７】
輻射熱板５３２とシースヒータ５２との間には、シースヒータ５２の熱を逃がさないようにするための断熱シート５４が挟まれている。断熱シート５４は、難燃樹脂の発泡体からなり、輻射熱板５３２に沿って蛇行して形成されている。
【００４８】
輻射熱板５３２の両端には、断熱シート５４を挟み込んで支持する断熱シート支持部５３３，５３３が設けられている。断熱シート支持部５３３，５３３は、輻射熱板５３２の端縁からシースヒータ５２に向かってほぼ垂直に折り曲げられた一対の舌片からなり、各断熱シート支持部５３３，５３３の間に断熱シート５４が弾性的に狭持されることで、断熱シート５４が支持されるようになっている。なお、断熱シート支持部５３３，５３３は、断熱シート５４を支持することができる断熱シート保持手段として機能すれば、その形状や配置は特に限定されない。
【００４９】
断熱シート５４を構成する難燃樹脂発泡体としては、例えばポリイミドフォーム、メラミンフォーム、フッ素フォームなどのほか、ガラス繊維やセラミック繊維などが好適に用いられるが、断熱シート５４は、シースヒータ５２に対して難燃性かつ断熱性を備えていればよい。
【００５０】
断熱シート５４は、シースヒータ５２の平坦面５２１を残すようにその外周面を覆い隠すように設けられていることが好ましい。これによれば、シースヒータ５２の発熱を効率的にベースフレーム５２に伝達でき、その結果、触媒フィルタ４０の加熱効率が向上する。
【００５１】
本発明において、ヒータユニット５０は、触媒フィルタ４０の加熱再生に用いられる目的であればよく、その具体的な形状などは、脱臭ユニット３の仕様に応じて任意であってよい。また、この例において、ヒータユニット５０は触媒フィルタ４０の裏面側（空気の流れ方向の下流側）に配置されているが、触媒フィルタ４０の前面側に配置されていてもよい。
【００５２】
次に、図４を参照して第１断熱部材６０，６０について説明するが、第１断熱部材６０，６０はともに同一材料で、かつ、同一形状であるため、いずれか一方についてのみ説明し、他方についての説明は省略する。
【００５３】
第１断熱部材６０は、例えば不織布などの通気性を有する所定厚さのシート体からなり、触媒フィルタ４０の外形寸法とほぼ同じ大きさに形成されている。第１断熱部材６０は、触媒フィルタ４０およびヒータユニット５０の各通気面を覆うように配置されている。
【００５４】
より好ましい態様として、第１断熱部材６０は、触媒フィルタ４０およびヒータユニット５０の各通気面に沿って、これらと直に接触するように配置されていることが好ましい。これによれば、第１断熱部材６０を触媒フィルタ４０もしくはヒータユニット５０に対して直に接触させることで、触媒フィルタ４０をより効率的に加熱することができる。
【００５５】
第１断熱部材６０は、また、触媒フィルタ４０の通風方向（図４では左右方向）に対して平行な方向の通気抵抗をＲ１、通風方向に対して垂直な方向（図４では上下方向）の通気抵抗をＲ２としたとき、Ｒ１＜Ｒ２となるように設計されている。
【００５６】
これによれば、触媒フィルタ４０を加熱する際に、触媒フィルタ４０の周囲で温められた空気が第１断熱部材６０の中を下から上へ移動しにくくなるため、触媒フィルタ４０の上部の温度が下部の温度より高くなるような加熱ムラがなく、触媒フィルタ４０全体を一様に温めることができ、触媒フィルタ４０をさらに効率的に加熱することができる。
【００５７】
また、より断熱効率を高めるために、第１断熱部材６０の通風面に金属メッシュシートなどを貼り合わせてもよい。これによれば、金属メッシュシートがヒータユニット５０からの輻射熱を反射させ、触媒フィルタ４０をさらに加熱することができる。
【００５８】
再び図３〜図５を参照して、第２断熱部材７０は、１本の帯状に形成された合成樹脂の発泡体を脱臭ユニット４の外周面に巻き付けるようにして配置されている。この例において、第２断熱部材７０は、高密度ウレタンなどの断熱性が高い発泡材が用いられているが、これ以外の断熱材であってもよい。これによれば、脱臭ユニット４の外周から外部に逃げる熱をより確実に断熱することができる。
【００５９】
次に、固定パネル８０，８０について説明するが、固定パネル８０，８０も互いに同一形状であるため、いずれか一方についてのみ説明し、他方についての説明は省略する。固定パネル８０は、各第１断熱部材６０，６０の外側面を覆うように取り付けられる金属板からなり、脱臭ユニット４に組み込まれた際に通風方向に通気性を確保するため多数の通気孔が設けられている。
【００６０】
この例において、固定パネル８０は、通気孔を有する金属板によって形成されていることで、ヒータユニット５０から照射される輻射熱を反射する第２の輻射熱板も兼務している。これによれば、固定パネル８０にて反射された輻射熱は、触媒フィルタ４０によって吸収さるため、触媒フィルタ４０をさらに加熱することができる。
【００６１】
固定パネル８０，８０同士は、図示しないネジによって互いにネジ止めされることにより、触媒フィルタ４０およびヒータユニット５０を両面から第１断熱部材６０，６０で挟み、さらにその外周を第２断熱材７０で囲った状態で一体的に固定される。
【００６２】
図２を再び参照し、オゾン生成ユニット５は、空気吸込口２１から空気吹出口２２に至るまでの筐体２内での空気流路上、この例では、脱臭ユニット４と空気吹出口２２との間に設置されている。オゾン生成ユニット５は、ユニットケース５ａを有し、ユニットケース５ａの内部にはオゾン生成手段としての紫外線ランプ５ｂが設けられている。オゾン生成ユニット５ａは、図示しない制御部によって制御される。
【００６３】
ユニットケース５ａは、金属などの紫外線非透過材料からなり、下面側と上面側とがそれぞれ開放されている。紫外線ランプ５ｂは、ユニットケース５ａの下面側の開口部に隣接して配置されており、電圧が印加されることで、紫外線ランプ５ｂの周囲の雰囲気に低濃度のオゾンガスが生成される。
【００６４】
この例において、オゾン生成手段は紫外線ランプ５ｂが用いられているが、これ以外のオゾン生成手段であってもよい。本発明において、オゾン生成ユニット５は任意的事項であり、上述した脱臭ユニット３を備えていることが前提条件となる。
【００６５】
ファン６は、ファン本体６ａと、ファン本体６ａを駆動するファンモータ６ｂとを有し、図示しない制御部によって駆動が制御されている。ファン本体６ａは、この例において、ラジアルファン（シロッコファン）からなり、負圧側が脱臭ユニット３の背面側に隣接して配置されている。
【００６６】
ファン６には、吸引効率を高めるためのベルマウス６ｃが設けられているが、ベルマウス６ｃの具体的な構成は、本発明において任意であってよい。この例において、ファン本体６ａは、ラジアルファンが用いられているが、空気吸込口２１から空気を吸い込み、筐体２内を通って空気吹出口２２から吹き出し可能なファン性能を備えていれば、そのファンの構成は任意であってよい。
【００６７】
次に、図２を参照しながら、脱臭装置１の使用手順の一例について説明する。図示しない電源スイッチが押されると、制御部は、ファン６を駆動する。これにより、空気吸込口２１から筐体２内に空気が吸い込まれる。
【００６８】
筐体２内に吸い込まれた空気は、まず、集塵フィルタ３を通過し、粗粒なゴミが除去される。次に、前面側（図２では左側）の第１断熱部材６０を通過したのち、触媒フィルタ４０を通過することにより、臭気が触媒フィルタ４０によって吸着除去される。
【００６９】
触媒フィルタ４０を通過した空気は、背面側（図２では右側）の第１断熱部材６０を通過したのち、ファン６を経由してオゾン生成ユニット５に運ばれる。オゾン生成ユニット５の下面側から取り込まれた空気は、オゾンガスによって生成されるＯラジカルと混ざることで酸化分解され、清浄される。
【００７０】
しかるのち、清浄された空気はオゾン生成ユニット５の上面側を通り筐体２の上部に持ち上げられた空気は、空気吹出口２２を経て室内に戻される。以上が、一連の脱臭工程である。
【００７１】
制御部は、図示しないタイマーを有し、触媒フィルタ４０の駆動時間を図ることで、所定の駆動時間が経過すると、自動的に触媒フィルタ４０の加熱再生工程を行う。加熱再生工程において、制御部は、まず、駆動中のファン６を停止してから、ヒータユニット５０に通電してヒータユニット５０を加熱する。
【００７２】
ヒータユニット５０が加熱されることで、隣接する触媒フィルタ４０が徐々に加熱される。その際、触媒フィルタ４０の両面には、第１断熱部材６０，６０によって覆われているため、熱が外に放熱されることなく、触媒フィルタ４０を効率的に加熱、保温することができる。
【００７３】
さらには、ヒータユニット５０から電磁波などとして照射された熱エネルギーは、固定パネル８０によって反射されるため、無駄なく、触媒フィルタ４０を加熱することができる。
【００７４】
制御部は、図示しない温度センサにて触媒フィルタ４０の温度を監視し続け、設定温度になると、タイマーで所定の保持時間に基づき触媒フィルタ４０を加熱保持する。
【００７５】
タイマーが設定時間経過すると、制御部は、ヒータユニット５０への通電を止めるとともに、触媒フィルタ４０の駆動時間タイマーを「０」にリセットしたのち、一連の加熱再生工程を終える。その後、ファン６が駆動される。
【００７６】
この例において、加熱再生工程は、脱臭工程中とは別工程で行われているが、脱臭工程中に行ってもよい。その場合、第１断熱部材６０，６０には、空気が流れるため、触媒ユニット４０は比較的低温で制御される。また、排出される空気も暖められるため、排気温度を管理することが好ましい。
【００７７】
この例において、脱臭装置１は、あくまで脱臭を専用に行う装置を例にとって説明したが、本発明の脱臭装置１は、例えばエアコンや冷蔵庫、加湿器などの一部として組み込まれていてもよい。上述した脱臭ユニット３を備えていれば、その用途は仕様に応じて任意に設定できる。
【符号の説明】
【００７８】
１  脱臭装置
２  筐体
２１  空気吸込口
２２  空気吹出口
２３  操作パネル
３  集塵フィルタ
４  脱臭ユニット
４０  触媒フィルタ
５０  ヒータユニット
５１  ベースフレーム
５１１  ヒータ支持部
５１２  固定片
５２  シースヒータ
５３  固定フレーム
５３１  フレーム本体
５３２  輻射熱板
５３３  断熱シート支持部
６０  第１断熱部材
７０  第２断熱部材
８０  固定パネル
５  オゾン生成ユニット
６  ファン
Ｇ  空隙
【図１】
2011024936.tif 000003
【図２】
2011024936.tif 000004
【図３】
2011024936.tif 000005
【図４】
2011024936.tif 000006
【図５】
2011024936.tif 000007
【図６】
2011024936.tif 000008
【図７】
2011024936.tif 000009
【図８】
2011024936.tif 000010
【図９】
2011024936.tif 000011